(57)【要約】【課題】            本考案は、公共の場所で愛玩動物を快適、且つ衛生的に保管でき、維持管理が容易な愛玩動物の保管ロッカーに関するものである。【解決手段】        本考案によると、前方に入口１２及びドア１３が形成されている函体１０を縦横に多数配列してなるものであって、函体１０の床には排泄物が透過される網体１４が備えられ、函体１０の上部には空気を浄化して排出するフィルター２２を含む空気浄化ユニット２０が配置され、上記ドア１３にはロック装置１５が備えられたことを特徴とする愛玩動物保管ロッカーが提供される。【選択図】          図１
2005192548.tif 000002
【特許請求の範囲】
【請求項１】
前方に入口１２及びドア１３が形成された函体１０を縦横に多数配列してなるものであって、函体１０の床には排泄物が透過される網体１４が備えられ、函体１０の上部には空気を浄化して排出するフィルター２２を含む空気浄化ユニット２０が配置され、前記ドア１３にはロック装置１５が備えられることを特徴とする愛玩動物保管ロッカー。
【請求項２】
前記函体１０が、タイマー１７が取付けられ愛玩動物を投入して所定の設定時間が経過されると、警告ランプ２８が点灯される構成でなることを特徴とする請求項１記載の愛玩動物保管ロッカー。
【請求項３】
前記函体１０に、コインを投入するコイン機１８が備えられたことを特徴とする請求項１または請求項２記載の愛玩動物保管ロッカー。
【請求項４】
上記函体１０に、ヒータモジュール３２とファン３３が含まれてなる暖房キット３０が取付けられていることを特徴とする請求項１〜３のいずれか１項に記載の愛玩動物保管ロッカー。
【発明の詳細な説明】
【技術分野】
【０００１】
本発明は愛玩動物保管ロッカーに関し、より詳しくは公共の場所で愛玩動物を快適で、衛生的に保管し、維持管理が容易な新しい構造の愛玩動物保管ロッカーに関する。
【背景技術】
【０００２】
近年、愛玩犬やその他愛玩動物に対する関心が増大し、愛玩犬の普及が増加している。このような愛玩犬は自分の家で飼うには別に困難がないが、愛玩犬をつれて外に出る場合、例えば、ショッピングセンターや、映画館、食堂、テーマ公園、高速道路の休憩所等の公共の場所で愛玩動物を持って入ることが禁止または制限されており、愛玩動物と共に外出し公共の場所で活動するのには大変な制約と不便がある。
【発明の開示】
【発明が解決しようとする課題】
【０００３】
本発明は前述したような愛玩犬をつれて外出することにおける問題点に着目して提案したものであって、本発明は室内または室外の公共の場所で愛玩犬を簡便に保管し得る、愛玩犬が快適で、且つ衛生的な状態で保管できて、管理者の立場としては安価で効果的に管理し得る新しい構造の愛玩動物保管ロッカーの提供にある。
【課題を解決するための手段】
【０００４】
本発明によると、前方に入口１２及びドア１３が形成されている函体１０を縦横に多数配列してなり、函体１０の床には排泄物が透過される網体１４が備えられ、函体１０の上部には空気を浄化して排出するフィルター２２を含む空気浄化ユニット２０が配置され、上記ドア１３にはロック装置１５が備えられることを特徴とする愛玩動物保管ロッカーが提供される。
【０００５】
本発明に係る他の特徴は、前期函体１０にはタイマー１７が付着され愛玩動物を投入して所定の設定時間が経つと警告ランプ２８が点灯するように構成されたことを特徴とする愛玩動物保管ロッカーが提供される。
【０００６】
本発明に係るまた他の特徴は、前期函体１０にはコインを投入するコイン機１８が備えられたことを特徴とする愛玩動物保管ロッカーが提供される。
【０００７】
本発明に係る他の特徴は、前記函体１０にはヒータモジュール３２とファン３３が含まれた暖房キット３０が取付けられていることを特徴とする愛玩動物保管ロッカーが提供される。
【発明の効果】
【０００８】
以上で説明した本発明によると、ドア１３にロック装置１５が備えられた函体１０を縦横に配列して愛玩動物保管ロッカーを形成し、個々の函体１０には排泄物の処理が容易に床に網体１４を配置し、上面には空気浄化ユニット２０を設置することで、愛玩動物から匂いが出るのを防止し、また函体１０内に殺菌及び脱臭機能が付与でき、愛玩動物が快適な状態で保管しえる。因みに、タイマー機能を付加して、愛玩動物を投入した後、所定時間が経つと警告できるようにして愛玩動物を長期間遺棄しておくことなどを防止することができる。なお、暖房または冷暖房機能を付与して公園のような野外の公共の場所でも愛玩動物が快適に維持することができるようにした。また、コイン機を設置して愛玩動物保管ロッカーの使用を有料とすることができる。
【０００９】
このような本発明によると、室内または室外の公共の場所などで愛玩動物を快適で衛生的に保管でき、管理者は愛玩動物を簡便に管理できて、愛玩動物をつれて外出する場合でも自由に公共の場所へ入場して施設を利用することができる。
【００１０】
以下、図面を参照して本発明の望ましい実施例を説明する。図１は、本発明の実施例に係る愛玩動物保管ロッカーの外観図であり、図２と図３は個別保管函の構成を示す斜視図及び断面図である。図示のように、本発明によると、前面に入口１２及びドア１３が形成された函体１０が縦横に多数配列され愛玩動物保管ロッカー１を形成する。この愛玩動物保管ロッカー１の個々の函体１０のドア１３にはロック装置１５が備えられ、愛玩動物を預けた者がキーを用いてドア１３を閉めるように構成される。そして、この函体１０にはそれぞれタイマーと警告ランプ２８が備えられる。したがって、愛玩動物を函体１０に入れてドア１３を閉めると、函体１０内部に設置されたリミットスイッチまたは他のセンサーにより愛玩動物が中に入っていることとドアが閉められていることを検出して、タイマーのカウントが開始され所定の設定時間が経過すると警告ランプ２８が点灯される。これにより、無断で長期間愛玩動物を保管ロッカーに保管、または愛玩動物を遺棄することが防止され、かかる場合には愛玩動物に対する任意処分が可能である旨の警告文を付着することにより管理上の問題点を解消することができる。
【００１１】
一方、個々の函体１０の内部には排泄物が透過される網体１４が備えられる。望ましくはこの函体１０の網体１４の下部には着脱可能なトレイ１６が備えられ、管理者が随時にトレイ１６を引き出しまたは取り出して排泄物を処理できるようにする。また、愛玩動物から発生する匂いを除去するために、函体１０の上面には脱臭フィルター２２が内蔵された空気浄化ユニット２０を設置する。望ましくは、この空気浄化ユニット２０は前方の空気排出口２１を介して空気を排出し、また、換気を円滑にするために空気排出口２１の一方に空気流入口２３を形成する。また、愛玩動物から発生する匂いを効果的に除去し、細菌またはカビなどの棲息を防止するために、脱臭機能と殺菌機能のある陰イオン発生器２５をこの空気浄化ユニット２０に取付けることができる。
【００１２】
一方、本発明に係る愛玩動物1が室外に設置される場合には愛玩動物を快適な環境で保管するため別途の暖房装置が必要であるが、このために個々の函体１０の背面にはヒータモジュール３２とファン３３が備えられた暖房キット３０が取付けられる。望ましくは、このヒータモジュール３２は冷暖房を兼ねるように熱電素子で製作する。このように個々の函体１０毎に別途の簡単な構造の暖房キット３０または冷暖房キットを備えることで別途の冷暖房施設がない室外空間に愛玩動物保管ロッカーを設置する場合でも愛玩動物が快適な状態でいることができ、また愛玩動物が保管されている函体のみで暖房キット３０が作動されることでエネルギーを無駄にすることを防止できる。
【００１３】
また、本発明の愛玩動物保管ロッカーは必要に応じて有料に利用できるが、このために本発明の個々の函体１０にはコイン機１８が備えられる。従って、使用者は所定の料金に該当するコインをコイン機１８に投入すれば所定時間愛玩動物が保管できるし、所定時間が経過したら警報ランプまたは警告音を鳴らしてコインを補充するか愛玩動物を回収するようにできる。
【００１４】
番号３５は水筒であって、愛玩動物が飲用できるように函体１０の側壁に吊設したものである。そして、番号２６は照明用ランプである。
【図面の簡単な説明】
【００１５】
【図１】本発明の実施例に係る愛玩動物保管ロッカーの外観図。
【図２】前記実施例の個別保管函ユニットの構成図。
【図３】前記実施例の個別ユニットの断面図。
【符号の説明】
【００１６】
１０    函体
１２    入口
１３    ドア
１４    網体
１５    ロック装置
２０    空気浄化ユニット
【図１】
2005192548.tif 000003
【図２】
2005192548.tif 000004
【図３】
2005192548.tif 000005